(57)【要約】【課題】  メガネの固有の構造が生かされて、眼球周辺部での血行を磁力で改善し、しかも、メガネ着用という通常の外観において、眼精疲労の回復を期待できることにより、違和感なく、使用ができるメガネフレーム構造を提供する。【解決手段】  亘り部分１を介して左右対象にレンズ支持部２、パッド部分３、テンプル部分４を備えたメガネフレーム構造において、少なくとも、亘り部分１、レンズ支持部２及びテンプル部分４を、鉄、ニッケル、コバルト、又はチタンを含む金属線、金属片からなるフレーム素材により構成し、フレーム素材は、メガネフレームの組立後、あるいは、その組立前の部品の状態で、少なくとも、メガネ装着者の顔面に対してほぼ鉛直な方向に着磁されている磁性体若しくは磁性材料により形成する。【選択図】      図１
0003105871.tif 000002
【実用新案登録請求の範囲】
【請求項１】
亘り部分１を介して左右対象にレンズ支持部２、パッド部分３、テンプル部分４を備えたメガネフレーム構造であって、
少なくとも、前記亘り部分１、レンズ支持部２及びテンプル部分４は、鉄、ニッケル、コバルト、又はチタンを含む金属線、金属片からなるフレーム素材により構成され、該フレーム素材は、メガネフレームの組立後、あるいは、その組立前の部品の状態で、少なくとも、メガネ装着者の顔面に対してほぼ鉛直な方向に着磁されている磁性体若しくは磁性材料により形成されていることを特徴とするメガネフレーム構造。
【請求項２】
亘り部分１を介して左右対象にレンズ支持部２、パッド部分３、テンプル部分４を備えたメガネフレーム構造であって、
少なくとも、前記亘り部分１、レンズ支持部２及びテンプル部分４は、鉄、ニッケル、コバルト、又はチタンを含む金属線、金属片からなるフレーム素材により構成され、該フレーム素材は、メガネフレームの組立後、あるいは、その組立前の部品の状態で、少なくとも、メガネ装着者の顔面に対してほぼ鉛直な方向に着磁されている磁性体若しくは磁性材料により形成され、前記パッド部分３は、金属又はプラスチック磁石よりなる磁石により形成されていることを特徴とするメガネフレーム構造。
【請求項３】
前記フレーム素材の表面には、防錆処理又は防錆被覆が施されていることを特徴とする請求項１又は２に記載のメガネフレーム構造。
【考案の詳細な説明】
【技術分野】
【０００１】
本考案は、主として、長時間、モニタ監視、コンピュータ操作などの視認作業を持続する作業者のためのメガネについて、そのフレーム構造を改良したものである。
【背景技術】
【０００２】
従来から、長時間の視認作業を強いられる作業者は、眼精疲労に悩まされている。このため、適当な時間間隔で、作業を中断し、疲労回復のための休憩、手当（目薬添加、冷湿布など）をする必要がある。特に、眼精疲労に際しては、眼球周囲の血行が低下しているので、軽いマッサージなどを施す場合もある。因みに、古来、東洋医学では、眼球周囲に点在するツボを刺激することで、血行を快復する手法が採られており、最近では、これを磁気の力で解決する方法も提案されている。また、近年、携帯電話によるメ−ル交換等の普及により、上記作業者以外の一般人にも眼精疲労に悩まされている者が多い。
【０００３】
そこで、ツボに対して磁石片を貼着して、常時、血行を促すこともあるが、その部位が、人目に付く顔面であるため、体裁が悪い。また、メガネフレームにプラスチック磁石を被覆させたり、メガネフレームの一部に磁石を取り付けたりする方法も提案されているが、磁力が十分でなく、体裁の点でも問題がある。
【考案の開示】
【考案が解決しようとする課題】
【０００４】
本考案は、上記のような事情に基づいてなされたもので、その目的とするところは、装身具としてのメガネにおいて、そのフレームの位置が、ツボに近い点に着目し、これに磁石を装備することで、眼球周囲の血行快復を期待したメガネフレーム構造を提供することである。
【課題を解決するための手段】
【０００５】
このため、請求項１の考案のメガネフレーム構造は、図示の実施例に明示しているように、亘り部分１を介して左右対象にレンズ支持部２、パッド部分３、テンプル部分４を備えたメガネフレーム構造であって、少なくとも、前記亘り部分１、レンズ支持部２及びテンプル部分４は、鉄、ニッケル、コバルト、又はチタンを含む金属線、金属片からなるフレーム素材により構成され、該フレーム素材は、メガネフレームの組立後、あるいは、その組立前の部品の状態で、少なくとも、メガネ装着者の顔面に対してほぼ鉛直な方向に着磁されている磁性体若しくは磁性材料により形成されていることを特徴としている。このようなフレーム素材は、１００〜２００ミリテスラの磁束密度で磁力を発生する磁石であることが望ましい。
【０００６】
また、請求項２の考案のメガネフレーム構造は、上記請求項１の構造において、前記パッド部分３を金属又はプラスチック磁石よりなる磁石により形成させていることを特徴としている。
【０００７】
さらに、前記フレーム素材の表面には、防錆処理又は防錆被覆が施されていることが望ましい。
【考案の効果】
【０００８】
本考案のメガネフレーム構造は、メガネの固有の構造が生かされて、眼球周辺部での血行を磁力で改善し、しかも、メガネ着用という通常の外観において、眼精疲労の回復を期待できることにより、違和感なく、使用ができるメリットが得られる。
【考案を実施するための最良の形態】
【０００９】
（実施の形態）
以下、本考案を実施するための最良の形態を、図面を参照しながら、具体的に説明する。図１に示している本考案の実施の形態では、メガネフレーム構造が、亘り部分１を介して左右対象にレンズ支持部２、パッド部分３、テンプル部分４を備えており、少なくとも、亘り部分１、レンズ支持部２とテンプル部分４は、全体として、金属線若しくは金属片よりなる磁石により形成されている。この磁石は、１００〜２００ミリテスラの磁束密度で磁力を発生する磁石を用いている。
【００１０】
なお、この実施例において、前記磁石は、磁性材料からなる金属線、金属片からなるフレーム素材から構成され、前記メガネフレームの組立後、あるいは、その組立前の部品の状態で、メガネ装着者の顔面に対してほぼ鉛直な方向に着磁されている。
【００１１】
また、前記パッド部分３は、金属又はプラスチック磁石（プラスチック素材に磁性粉が混入された磁石）による磁石により形成されている。
【００１２】
なお、この実施例では、フレーム素材全体を常磁性の材料で構成しているが、その表面に防錆処理を施こし、若しくは防錆処理被覆を施こすことができる。
【００１３】
このような構成では、眼精疲労における血行不良個所のツボ（図３に黒点で例示する）に近い部位を巡るメガネフレームの固有の構造が生かされて、眼球周辺部での血行を磁力で改善し、しかも、メガネ着用という通常の外観において、眼精疲労の回復を期待できることにより、違和感なく、使用ができるメリットが得られる。
【図面の簡単な説明】
【００１４】
【図１】本考案に係るメガネフレーム構造の実施の形態を示す全体斜視図である。
【図２】同じく、他の実施の形態を示す全体拡大斜視図である。
【図３】メガネフレームとツボの位置との相対部位を示す図である。
【符号の説明】
【００１５】
１    亘り部分
２    レンズ支持部
３    パッド部分
４    テンプル部分
【図１】
0003105871.tif 000003
【図２】
0003105871.tif 000004
【図３】
0003105871.tif 000005